(57)【要約】【課題】本発明の目的は、放熱効率の向上を図った電子機器を得ることにある。【解決手段】電子機器１は、外壁７ａを有する筐体７と、筐体７に収容されるとともに動作時に発熱する回路部品２７と、筐体７の外壁７ａに筐体７の外側から重ねて設けられる金属板４とを備える。【選択図】      図２
2007164694.tif 000002
【特許請求の範囲】
【請求項１】
外壁を有する筐体と、
上記筐体に支持される機能ユニットと、
上記筐体に収容されるとともに動作時に発熱する回路部品と、を具備し、
上記機能ユニットに対応する部位に開口部を有するとともに、上記筐体の外壁に上記筐体の外側から重ねて設けられる金属板を備えることを特徴とする電子機器。
【請求項２】
請求項１に記載の電子機器において、
上記金属板は、上記筐体のなかで上記回路部品に対応する部位から上記回路部品を外れる部位に亘って設けられることを特徴とする電子機器。
【請求項３】
請求項１に記載の電子機器において、
上記金属板は、上記筐体の上記機能ユニットを除く上壁外面の略全体を覆うことを特徴とする電子機器。
【請求項４】
請求項１に記載の電子機器において、
上記筐体の外壁は、上記金属板の開口部の内周縁に対応する部位から上記金属板の開口部の内周面に沿って突出する突出部を有することを特徴とする電子機器。
【請求項５】
請求項４に記載の電子機器において、
上記突出部は、少なくとも上記金属板の厚さより大きく突出することを特徴とする電子機器。
【請求項６】
請求項１に記載の電子機器において、
上記筐体は、上記金属板が取り付けられる上記外壁に開口部を備えるとともに、上記外壁の内面側に取り付けられる他の金属板を収容し、
上記金属板は、この金属板の一部が上記筐体の開口部を通じて上記他の金属板に接するとともに、上記他の金属板を介してアースされることを特徴とする電子機器。
【請求項７】
外壁を有する筐体と、
上記筐体に収容されるとともに動作時に発熱する回路部品と、を具備し、
上記筐体の外壁に上記筐体の外側から重ねて設けられる金属板を備えることを特徴とする電子機器。
【発明の詳細な説明】
【技術分野】
【０００１】
本発明は、筐体の内部に発熱部品を実装する電子機器に係り、特に電子機器の放熱構造に関する。
【背景技術】
【０００２】
例えばポータブルコンピュータのような電子機器は、動作時に発熱するＣＰＵのような回路部品を実装している。近年、半導体の集積密度が飛躍的に高まり、回路部品の発熱量が増加している。半導体を搭載した回路部品は、動作温度があまりに高いとその信頼性および寿命が低下してしまう。そこで電子機器は、この回路部品を冷却するための放熱構造を備える必要がある。
【０００３】
電子機器の放熱構造としては、例えば筐体の内部に金属板を備える放熱構造が提供されている（例えば、特許文献１参照）。特許文献１に記載の放熱構造は、キャビネット、ＣＰＵ基板、熱伝導用ボス、および第１の金属板を備えている。第１の金属板は、キャビネットに収容されるとともに、キャビネットの底壁の内面に沿って設けられている。ＣＰＵによって発生した熱は、ＣＰＵ基板および熱伝導用ボスを介して第１の金属板に伝わり、第１の金属板によって放熱される。
【特許文献１】特開平８−２８６７８３号公報
【発明の開示】
【発明が解決しようとする課題】
【０００４】
例えば一般的な放熱構造として、冷却ファンがよく用いられている。ここで、回路部品の発熱量が大きいと冷却ファンの大きさもそれに合わせて大きくなってしまう。冷却ファンが大きいと、例えば風切り音やモーター音などの騒音が大きくなってしまうため好ましくない。そこで、例えば別の放熱構造を併用するなどして電子機器の放熱効率を高め、冷却ファンの負担を軽減してやる必要がある。
【０００５】
また例えば冷却ファンを用いない電子機器においても、今後さらに回路部品の発熱量が増加することを考えれば、少しでも電子機器の放熱効率を高めることが望まれている。
【０００６】
特許文献１に記載の放熱構造としての金属板は、キャビネットの内部に配置されている。キャビネットの内部には、このキャビネット内に収容される例えばＨＤＤのようなユニットや、このユニットを固定するためのボスなどが随所に設けられている。したがって、上記金属板をキャビネット内部に配置しようとすると、金属板はこれらのユニットやボスを避けるような形状に形成される必要がある。さらに、金属板をキャビネット内に設ける場合、どうしても金属板の大きさが制限されてしまう。
【０００７】
さらに、例えこの金属板を用いてＣＰＵの熱が放熱されたとしても、その熱はキャビネット内に放出されることになり、キャビネット内の温度が上昇することになる。これは電子機器全体からみた場合、あまり好ましいものではない。上記のような点を考慮すれば、キャビネット内に設けられた金属板では、電子機器の放熱効率の向上が十分であるとはいえない。
【０００８】
本発明の目的は、放熱効率の向上を図った電子機器を得ることにある。
【課題を解決するための手段】
【０００９】
上記目的を達成するために、本発明の一つの形態に係る電子機器は、外壁を有する筐体と、上記筐体に収容されるとともに動作時に発熱する回路部品と、上記筐体の外壁に上記筐体の外側から重ねて設けられる金属板とを備える。
【発明の効果】
【００１０】
この構成によれば、筐体の外壁に取り付けられた金属板が放熱部材として機能するため電子機器の放熱効率が向上する。
【発明を実施するための最良の形態】
【００１１】
以下に本発明の実施の形態を、ポータブルコンピュータに適用した図面に基づいて説明する。  
図１ないし図９は、本発明の一つの実施形態に係る電子機器としてのポータブルコンピュータ１を開示している。図１は、ポータブルコンピュータ１の全体を示している。図１に示すように、ポータブルコンピュータ１は、本体２と表示ユニット３とを備えている。
【００１２】
図２および図３に示すように、本体２は、化粧板４、本体ベース５、および本体カバー６を備えている。本体カバー６は、本体ベース５に上方から取り付けられる。本体ベース５と本体カバー６とが協働することで、本体２は、上壁７ａ、下壁７ｂ、および側壁７ｃを有する箱状の筐体７を備える。上壁７ａ、下壁７ｂ、および側壁７ｃは、筐体７の外壁の一例である。上壁７ａの外面７ａａは、筐体７の上面を形成している。本体ベース５および本体カバー６は、例えば樹脂材料で形成されている。
【００１３】
図１に示すように、表示ユニット３は、ディスプレイハウジング８と、このディスプレイハウジング８に収容された液晶表示パネル９とを備えている。液晶表示パネル９は、表示画面９ａを有している。表示画面９ａは、ディスプレイハウジング８の前面の開口部８ａを通じてディスプレイハウジング８の外部に露出している。
【００１４】
表示ユニット３は、筐体７の後端部に図示しないヒンジ装置を介して支持されている。そのため、表示ユニット３は、上壁７ａを上方から覆うように倒される閉じ位置と、上壁７ａ、および表示画面９ａを露出させるように起立する開き位置との間で回動可能である。
【００１５】
図１に示すように、筐体７は、キーボード載置部１１とタッチパッド載置部１２とを備えている。キーボード載置部１１は、キーボード１５を支持するための図示しない支持壁を有する。キーボード１５は、この支持壁に載置され、キーボード載置部１１により支持される。本体２は、キーボード載置部１１より前側部位にパームレスト１３を備える。
【００１６】
タッチパッド載置部１２は、第１の開口部１２ａと第２の開口部１２ｂとを有する。タッチパッド載置部１２には、タッチパッド１８が取り付けられる。タッチパッド１８は、タッチパッド本体１９とタッチパッドボタン２０とを有する。図３に示すように、第１の開口部１２ａの下方にはタッチパッド本体１９が取り付けられる。タッチパッド本体１９は、例えば表示画面９ａに表示されるカーソルを操作するためのタッチパネルである。第２の開口部１２ｂの下方には、タッチパッドボタン２０が取り付けられる。
【００１７】
ユーザーは、それぞれ第１の開口部１２ａおよび第２の開口部１２ｂを通じてタッチパッド１８を操作することができる。なおキーボード１５およびタッチパッド１８は、機能部品の一例である。
【００１８】
図１に示すように、本体２は、一対のスピーカ２２ａ，２２ｂ、ボリューム調整器２３、指紋認証部２４、および複数のボタン２５を備えている。スピーカ２２ａ，２２ｂ、ボリューム調整器２３、指紋認証部２４、および複数のボタン２５は、それぞれ機能ユニットの一例であり、筐体７に支持されるとともに、本体２の上面において筐体７の外部に露出している。ボリューム調整器２３は、スピーカ２２ａ，２２ｂの音量用の調整器である。
【００１９】
本体２の筐体７は、内部に回路基板２６と回路部品２７とを収容している。回路基板２６に実装される回路部品としては種々のものがあるが、例えばＣＰＵやグラフィックチップのような動作時の発熱量の大きな回路部品２７も実装されている。図１に示すように、回路基板２６は、筐体７の後半部に配置されている。上記のような回路部品２７は、回路配線の都合上あまり離れて配置されることは少なく、図１に示すようにまとまって配置されることが多い。なお回路部品２７の例はＣＰＵやグラフィックチップに限らず、例えばノースブリッジ、メモリ、または電源回路のような発熱部品も該当する。
【００２０】
図４に化粧板４の全体を示す。化粧板４は、金属板の一例である。詳しくは以下に述べるが、化粧板４は、ポータブルコンピュータ１の装飾性を高める化粧部材であり、かつ、ポータブルコンピュータ１の放熱効率を高める放熱部材である。
【００２１】
化粧板４は、筐体７のなかで機能ユニット１５，１８，２２ａ，２２ｂ，２３，２４，２５を除く上壁７ａの上壁外面７ａａの略全体を覆う大きさに形成されている。すなわち化粧板４は、筐体７のなかで回路部品２７の上方に対応する部位から回路部品２７を外れるパームレスト１３に亘って設けられる。化粧板４の材質としては、軽量性、華飾性、加工性および加工コストが優れている例えばアルミニウムのような材料が好適である。
【００２２】
ただし、化粧板４の材質はアルミニウムに限らず、例えばマグネシウムやチタンなどでも良い。さらに例えば軽量性をあまり考慮する必要がない場合は、銅などであっても良い。すなわち化粧板４は、熱伝導性の良好な材料であればその材質は特に限定されない。化粧板４の厚さの一例は、０．６ｍｍである。
【００２３】
化粧板４は、黒色に着色されている。なお化粧板４の色は、黒色に限定されるものでは無く、例えば白色や銀色などその電子機器のデザインに合わせて自由に選択することができる。ただし例えば黒色のような明度が低い色の方が、熱輻射率が大きいので好ましい。
【００２４】
化粧板４の着色は、例えばアルマイト処理により行なわれる。ただし化粧板４の着色方法はこれに限らず、例えば通常の塗工やメッキ処理であっても良い。ただしアルマイト処理を用いると、全体にムラのない均一な着色が可能であり、さらに高質な質感を演出することができるため好適である。
【００２５】
図４に示すように、化粧板４は、第３の開口部４ａ、第４の開口部４ｂ、第５の開口部４ｃ、第６の開口部４ｄおよび切欠き部４ｅを備えている。第３の開口部４ａは、キーボード１５に対応して設けられ、キーボード載置部１１より一回り大きく形成されている。第４の開口部４ｂは、タッチパッド本体１９およびタッチパッドボタン２０に対応して設けられ、タッチパッド載置部１２の第１の開口部１２ａおよび第２の開口部１２ｂよりそれぞれ一回り大きな二つの開口４ｂａ，４ｂｂを有する。
【００２６】
第５の開口部４ｃは、一対のスピーカ２２ａ，２２ｂに対応して設けられている。第５の開口部４ｃは、複数のボタン２５および指紋認証部２４に対応して設けられ、複数の開口が形成されている。切欠き部４ｅは、ボリューム調整器２３に対応して設けられている。  
図４に示すように、化粧板４は、筐体７の上壁７ａに接する面の略全体に亘って粘着部材３３が取り付けられている。粘着部材の一例は、両面テープである。
【００２７】
図２に示すように、化粧板４は、筐体７の外側から筐体７の上壁７ａに重ねるようにして取り付けられる。具体的には、化粧板４は、第３ないし第６の開口部４ａ，４ｂ，４ｃ，４ｄをそれぞれキーボード１５、タッチパッド１８、スピーカ２２ａ，２２ｂ、および複数のボタン２５などに対応させて取り付けられる。したがって図１に示すように、キーボード１５、タッチパッド１８、スピーカ２２ａ，２２ｂ、ボリューム調整器２３、指紋認証部２４および複数のボタン２５は、化粧板４に覆われることなく、筐体７の外部に露出する。
【００２８】
化粧板４は、上壁７ａの外面７ａａを略全体を覆う。化粧板４が上壁７ａを覆い隠すことで、ポータブルコンピュータ１のデザイン性・装飾性が向上する。すなわち、化粧板４は、ポータブルコンピュータ１の化粧部品として機能する。  
化粧板４は、この化粧板に設けられた粘着部材３３により上壁７ａに固定される。
【００２９】
図５は、タッチパッド載置部１２を拡大して模式的に示す断面図である。図５に示すように、筐体７の上壁７ａは、突出部３５を有する。突出部３５は、例えば化粧板４の第４の開口部４ｂの内周縁に対応する部位に設けられている。具体的には、突出部３５は、第４の開口部４ｂの内周縁よりわずかにタッチパッド載置部１２の内側に入った部位から第４の開口部４ｂの内周面３６に沿って上方に突出している。
【００３０】
すなわち突出部３５は、上壁７ａから化粧板４の上面を向く方向に沿って突出している。図６に示すように、突出部３５は、第４の開口部４ｂａ，４ｂｂの内周縁の全周囲から突出し、枠状に形成されている。図５に示すように、突出部３５は、化粧板４の厚さより大きな距離を突出している。したがって突出部３５の先端３５ａは、化粧板４より上面より一段高くなっている。
【００３１】
以上、タッチパッド載置部１２に設けられた突出部３５を例にとって説明した。図２に示すように、これと同様の突出部３５が、キーボード載置部１１の外周縁部、スピーカ２２ａ，２２ｂ回り、ボリューム調整器２３回り、指紋認証部２４回り、および複数のボタン２５回りそれぞれ設けられている。
【００３２】
図７に示すように、化粧板４の前後左右のそれぞれの端部は、折曲部３７を有する、折曲部３７は、筐体７に近づく方向に沿って円弧状に折れ曲がっている。一方、筐体７の前後左右のそれぞれの端部は、凹部３８を有する。凹部３８は、化粧板４の折曲部３７に対応する位置に設けられ、化粧板４の折曲部３７を受けとめている。筐体７の凹部３８のさらに外周部には、凸部３９が設けられている。凸部３９は、突出部３５と同じ方向に突出している。凸部３９の先端は、化粧板４より上面より一段高くなっている。
【００３３】
なお、化粧板４の端部に折曲部３７を設けずに、筐体７の上壁７ａの端部が例えばタッチパッド載置部１２と同様な突出部３５を備えていても良い。
【００３４】
図８は、本体カバー６の裏面、すなわち本体カバー６の筐体内面側を示す。パームレスト１３の内面側にあたる上壁７ａの上壁内面７ａｂには、サポート部材４１が取り付けられている。サポート部材４１は、金属板で形成されている。サポート部材４１の材料の一例は、鉄を含む合金である。パームレスト１３は、ユーザーの手首を支える部位であり、一定以上の強度を必要とする。サポート部材４１をパームレスト１３の裏側に取り付けることで、パームレスト１３の強度を向上させることができる。サポート部材４１は、本体２に設けられる図示しないグランドに電気的に接続され、アースされている。
【００３５】
図８に示すように、本体カバー６は、筐体７の内部を向いて突出するボス４２を有する。サポート部材４１は、ボス４２を避ける切欠き部４１ａを有する。サポート部材４１は、切欠き部４１ａの一端からボス４２の突出端に延びる取付部４３を有する。
【００３６】
本体カバー６は、上壁７ａの端部に筐体７の内部に開口する開口部７ｄを有する。図８および図９に示すように、化粧板４は、延伸部４５を有する。延伸部４５は、筐体７の開口部７ｄを通じて筐体７の内部に延びている。延伸部４５は、その一部に幅が小さくなる切欠き部４５ａを有する。延伸部４５は切欠き部４５ａで折り曲げられている。
【００３７】
切欠き部４５ａは、延伸部４５を所定箇所で折り曲げやすいように設けられている。延伸部４５の先端は、ボス４２の突出端を覆うように位置し、サポート部材４１の取付部４３と重ねるようにしてボス４２にねじ留めされている。これにより化粧板４は、サポート部材４１に電気的に接続され、サポート部材４１を介してアースされている。
【００３８】
次に、ポータブルコンピュータ１の作用について図１０を参照して説明する。  
ポータブルコンピュータ１の使用時には、例えばＣＰＵやグラフィックチップのような回路部品２７が発熱する。回路部品２７の発熱は、回路基板２６を介して、回路基板２６を収容している筐体７に伝わる。これにより筐体７の温度、および筐体７の内部の温度は上昇し、特に回路基板２６に近い筐体７の後半部において局所的に高くなる。
【００３９】
筐体７に伝わった熱は、上壁７ａに取り付けられた化粧板４に熱伝導され、化粧板４がヒートシンクとして機能することで筐体７の外部に放出される。これにより、筐体７の内部にこもる熱が筐体７の外部に放出され、筐体７の温度上昇、および筐体７の内部の温度上昇が抑えられる。
【００４０】
一方、筐体７の後半部において局所的に集中する熱は、化粧板４の後端部４ｆに伝熱される。ここで化粧板４は金属板であるため極めて熱伝導率が高い。したがって化粧板４の後端部４ｆに伝えられた熱は、図１０中の黒矢印で示すように化粧板４の全体に略均一に拡散される。すなわち筐体７の後半部の熱が筐体７の前半部４ｇにも移動する。これにより、筐体７が局所的に高温となることが抑制され、筐体７の全体から熱が放出される。
【００４１】
このようなポータブルコンピュータ１によれば、放熱効率の向上を図ることができる。すなわち、従来の電子機器に取り付けられる化粧板は、樹脂材料で形成されている。樹脂材料で形成された化粧板は、熱伝導率があまり高くないため、筐体７に伝わった熱は容易に化粧板を通過して筐体７の外部に放出されない。したがって筐体７の内部に熱がこもってしまう。さらに筐体７の後半部において局所的な高温状態が生じてしまう。
【００４２】
一方、本実施形態に係る化粧板４は、金属製であり高い熱伝導率を有するため、放熱部材としても機能する。上記のように化粧板４がヒートシンクとして機能することで、筐体７の内部にこもる熱が筐体７の外部に放出される。さらに化粧板４を通じて筐体７の温度ムラが抑制される。化粧板４が放熱部材の一つとして機能することで、ポータブルコンピュータの放熱構造を多様化し、ポータブルコンピュータ１の放熱効率を高めることができる。
【００４３】
従来は、電子機器の化粧部材と放熱部材とは異なる部品で構成されている。しかし、本実施形態に係る化粧板４は、化粧部材としての機能と放熱部材としての機能を併せもつ。すなわち、化粧板４を放熱部材として機能させることで、筐体７内に別途設けられる放熱部材を省略または小型化することが可能となる。これはポータブルコンピュータ１の小型化にも寄与する。  
化粧板４は、駆動機構を利用しないため、例えば冷却ファンの風切り音やモーター音などの騒音が発生することもなく、ユーザーの快適性を高めることができる。
【００４４】
化粧板４が筐体７のなかで回路部品２７に対応する部位から回路部品２７を外れる部位に亘って設けられていると、回路部品２７が発する熱を回路部品２７を外れる部位にまで拡散できる。これにより、ポータブルコンピュータ１の温度ムラをさらに抑制することができる。
【００４５】
特に、化粧板４が上壁７ａの外面７ａａの略全体を覆う大きさに形成されていると、化粧板４の表面積を大きく確保することができる。化粧板４の表面積が大きいほど、化粧板４の放熱効果は向上する。例えば筐体７の内部に金属板を配置する場合、金属板の大きさはどうしても制限を受ける。しかし、本実施形態のように筐体７の外部に金属板を配置することで、放熱部材としての機能をより高めることができる。
【００４６】
化粧板４が黒色に着色されていれば、さらにポータブルコンピュータ１の放熱効率を高めることができる。すなわち、黒色は、熱輻射率が最も高い色であり、化粧板の熱の放出がさらに促進されるからである。さらに黒色は種々のデザインに合いやすい色でもあり、黒色に着色された化粧板は、種々の電子機器の装飾性を向上させることができる。
【００４７】
化粧板４の第３ないし第６の開口部４ａ，４ｂ，４ｃ，４ｄおよび切欠き部４ｅは、化粧板４を切断することで形成される。すなわち、第３ないし第６の開口部４ａ〜４ｄおよび切欠き部４ｅの内周面は、機械加工された切断面である。通常、機械加工による切断面は鋭利なものとなり、ユーザーが直接切断面に触れられるように露出しているのは好ましくない。
【００４８】
本実施形態に係る筐体７の上壁７ａは、突出部３５を有する。突出部３５が第３ないし第６の開口部４ａ〜４ｄおよび切欠き部４ｅの内周面に沿って設けられるため、各開口部などの切断面は外部から覆い隠される。したがってユーザーが直接に切断面に触れるおそれが無くなる。
【００４９】
特に、突出部３５が化粧板４の厚さに比べて少なくとも大きな距離を突出していると、切断面が突出部により完全に覆い隠され、ユーザーが切断面に触れるおそれはさらに小さいものとなる。この効果は、突出部３５の先端３５ａが少なくとも化粧板４の上面と同一面以上にあれば発揮される。
【００５０】
さらに、突出部３５の先端３５ａが化粧板４の上面に出ていると、ユーザーは、指先の感覚などによっても例えばキーボード載置部１１やタッチパッド載置部１２などの領域を認知することができ、ポータブルコンピュータ１の使いやすさが向上する。
【００５１】
化粧板４が折曲部３７を有するとともに、上壁７ａが凹部３８を有することでも、化粧板４の外周の切断面からユーザーの安全を図ることができる。凸部３９が化粧板４の上面より一段高くなっていることで、ユーザーは指先の感覚などによっても筐体７の端部を認知することができ、ポータブルコンピュータ１の使いやすさが向上する。
【００５２】
化粧板４は、ユーザーが直接触れる部位であるため、化粧板４に電気が帯電しているとユーザーが感電するおそれがある。逆にユーザーに帯電している静電気が化粧板４を通じて本体２に流れ、ポータブルコンピュータ１の誤動作の原因となるおそれもある。しかし本実施形態に係るポータブルコンピュータ１のように、化粧板４がアースされていると上記のようなおそれが無くなり、ユーザーは安心してポータブルコンピュータ１を使用することができる。
【００５３】
特に、化粧板４がパームレスト１３の補強に用いられているサポート部材４１を介してアースされることで、化粧板４をアースするような構造を別途設ける必要が無くなる。これにより、ポータブルコンピュータ１の構成が複雑になることを避けることができる。
【００５４】
化粧板４の全面に亘って粘着部材３３が設けられていると、化粧板４を筐体７に取り付けたとき、化粧板４と筐体７との間にはどの部位においても均一に粘着部材３３が介在することになる。これにより、化粧板４と筐体７との間に空間が生じず、化粧板４が部分的に撓みを生じたりすることを防止することができる。
【００５５】
以上、一つの実施形態に係るポータブルコンピュータ１について説明したが、本発明はもちろんこれらに限定されない。例えば化粧板４は、必ずしも筐体７の上壁７ａの略全体を覆う必要は無い。化粧板４が上壁７ａの部分的な場所に設けられたとしても、一定の放熱効果は期待できる。化粧板４は、一つの金属板から形成される必要は無く、複数に分割された金属板から構成されても良い。
【００５６】
本発明が適用可能な電子機器は、ポータブルコンピュータに限らず、例えば携帯電話機、デジタルカメラ、ビデオカメラ、パーソナルデジタルアシスタントなどでも良く、その種類は問わない。
【図面の簡単な説明】
【００５７】
【図１】本発明の一つの実施形態に係るポータブルコンピュータの斜視図。
【図２】図１中に示されたポータブルコンピュータを一部分解して示す斜視図。
【図３】図１中に示されたポータブルコンピュータのＡ−Ａ線に沿う断面図。
【図４】図１中に示された化粧板の平面図。
【図５】図１中に示されたタッチパッド載置部回りを拡大して示す断面図。
【図６】図１中に示されたタッチパッド載置部回りを拡大して示す平面図。
【図７】図３中に示された筐体の端部を拡大して示す断面図。
【図８】図１中に示された本体カバーの裏面を示す斜視図。
【図９】図８中に示された化粧板の延伸部の断面図。
【図１０】図１中に示されたポータブルコンピュータの作用を模式的に示す斜視図。
【符号の説明】
【００５８】
１…ポータブルコンピュータ、４…化粧板、４ａ〜４ｄ…開口部、４ｅ…切欠き部、７ａ…上壁、７…筐体、１５…キーボード、１８…タッチパッド、２６…回路基板、２７…回路部品、３５…突出部、３５ａ…突出部の先端、４１…サポート部材、４５…延伸部。
【図１】
2007164694.tif 000003
【図２】
2007164694.tif 000004
【図３】
2007164694.tif 000005
【図４】
2007164694.tif 000006
【図５】
2007164694.tif 000007
【図６】
2007164694.tif 000008
【図７】
2007164694.tif 000009
【図８】
2007164694.tif 000010
【図９】
2007164694.tif 000011
【図１０】
2007164694.tif 000012